(57)【要約】      （修正有）【課題】吹出しノズルから吹き出されて、乾燥槽に衝突した空気が手指挿入口から周囲に漏洩するのを抑えることができるハンドドライヤーを提供する。【解決手段】乾燥槽２に、漏洩防止板４が吹出しノズル３から吹き出される空気に対向して設けられ、漏洩防止板４は吹出しノズル３から吹き出される空気が通過可能な開口部を有し、漏洩防止板４と乾燥槽２を形成する壁部２ａとの間には、開口部を通過して、壁部２ａに衝突した空気を手指挿入口１ｃ以外の排気口側へ流す隙間が設けられている。【選択図】図２
2015223456.tif 000002
【特許請求の範囲】
【請求項１】
上部に手指挿入口を有するケースに設けられ、前記手指挿入口により外部と連通する乾燥槽と、この乾燥槽に向けて空気を吹き出す吹出しノズルとを備えたハンドドライヤーにおいて、
前記乾燥槽に、漏洩防止板が前記吹出しノズルから吹き出される空気に対向して設けられ、
前記漏洩防止板は前記吹出しノズルから吹き出される空気が通過可能な開口部を有し、
前記漏洩防止板と前記乾燥槽を形成する壁部との間には、前記開口部を通過して、前記壁部に衝突した空気を前記手指挿入口以外の排気口側へ流す隙間が設けられていることを特徴とするハンドドライヤー
【請求項２】
前記漏洩防止板に、前記乾燥槽を形成する壁部に係脱可能に係合する係合部が設けられていることを特徴とする請求項１に記載のハンドドライヤー。
【請求項３】
前記係合部は、前記漏洩防止板の裏面に設けられたブラケットと、このブラケットに形成され、前記壁部の上縁部に上方から係合可能なスリットとを備えていることを特徴とする請求項２に記載のハンドドライヤー。
【発明の詳細な説明】
【技術分野】
【０００１】
本発明は、吹出しノズルから吹き出された空気が手指挿入口から周囲に漏洩するのを抑えるハンドドライヤーに関する。
【背景技術】
【０００２】
浮遊粒子・菌および異物混入防止が特に重視される電子工業、医薬品、食品分野などの製造工程（本室）はクリーンルーム等により清浄環境に保たれており、入室前には準清浄環境の前室にて更衣、手洗いが行なわれる。手洗い後の乾燥には再汚染防止のためハンドドライヤー（手指乾燥機）が使用されることが多い。一般的なハンドドライヤーでは吹出ノズルから吹き出された高速気流により、手指に付着した水滴を吹き飛ばし非接触かつ短時間で乾燥が行える。
このようなハンドドライヤーはＨＥＰＡフィルターの有無によって２種類に大別される。吹出気流の流路にＨＥＰＡフィルターが無い場合には、周囲の必ずしも清浄でない空気を手指に吹き付けるため手指が再度汚染される可能性がある。これらの解決方法としてＨＥＰＡフィルターを取り付け、清浄空気を吹き付ける手法が望ましい。
【０００３】
しかし、乾燥用気流が高速気流になるほど、乾燥槽表面の付着物や手指に付着した皮脂や水滴が手指を挿入する手指挿入口より周囲（準清浄環境）に飛散させ環境を汚染（バクテリアの増殖や臭気の発生）させる可能性がある。
これらを防止するため吹出気流を循環（リサイクル気流）させる方法もある（例えば特許文献１参照）。
【先行技術文献】
【特許文献】
【０００４】
【特許文献１】特開２００４−２３６７１４号公報
【発明の概要】
【発明が解決しようとする課題】
【０００５】
しかしリサイクル気流方式は構造が複雑な上、モーターの温度上昇などを招く懸念があり、多くの装置はオールフレッシュ気流方式を使用している。
ところがオールフレッシュ気流方式はリサイクル気流方式より周囲に漏洩させるリスクがある。すなわち、図６に示すように、吹出しノズル３から高速気流を手指挿入口１ｃの付近で吹き付けると、乾燥槽２の内壁（例えば前壁部２ａ）での跳ね返り気流（図６に矢印で示す）が手指挿入口１ｃより外側に広範囲に飛散するリスクがあるため、周囲への漏洩気流を抑える方法が必要になる。
【０００６】
本発明は、前記事情に鑑みてなされたもので、吹出しノズルから吹き出されて、乾燥槽に衝突した空気が手指挿入口から周囲に漏洩するのを抑えることができるハンドドライヤーを提供することを目的としている。
【課題を解決するための手段】
【０００７】
前記目的を達成するために、本発明のハンドドライヤーは、上部に手指挿入口を有するケースに設けられ、前記手指挿入口により外部と連通する乾燥槽と、この乾燥槽に向けて空気を吹き出す吹出しノズルとを備えたハンドドライヤーにおいて、
前記乾燥槽に、漏洩防止板が前記吹出しノズルから吹き出される空気に対向して設けられ、
前記漏洩防止板は前記吹出しノズルから吹き出される空気が通過可能な開口部を有し、
前記漏洩防止板と前記乾燥槽を形成する壁部との間には、前記開口部を通過して、前記壁部に衝突した空気を前記手指挿入口以外の排気口側へ流す隙間が設けられていることを特徴とする。
【０００８】
ここで、前記開口部は、吹出しノズルから吹き出された空気のほぼ全てが通過可能な流路断面積を有していれば、その形状は、円形、矩形、角部が円弧に形成された矩形等適宜な形状であればよい。
【０００９】
本発明においては、吹出ノズルから吹き出された空気は、漏洩防止板の開口部を通過し、この通過した空気は乾燥槽を形成する壁部に衝突し、この衝突した空気は、漏洩防止板と乾燥槽を形成する壁部との間に設けられた隙間を通って、手指挿入口以外の排気口側に流れる。したがって、吹出しノズルから吹き出されて、乾燥槽を形成する壁部に衝突した空気が手指挿入口から周囲に漏洩するのを抑えることができる。
【００１０】
本発明の前記構成において、前記漏洩防止板に、前記乾燥槽を形成する壁部に係脱可能に係合する係合部が設けられていることが好ましい。
【００１１】
このような構成によれば、乾燥槽を形成する壁部に係合している係合部を、当該壁部から取り外すことによって、漏洩防止板を容易に取り外すことができる。したがって、乾燥槽の清掃を容易に行うことができる。
【００１２】
また、本発明の前記構成において、前記係合部は、前記漏洩防止板の裏面に設けられたブラケットと、このブラケットに形成され、前記壁部の上縁部に上方から係合可能なスリットとを備えているのが好ましい。
【００１３】
このような構成によれば、漏洩防止板を持って、ブラケットに形成されたスリットを、乾燥槽を形成する壁部に上方から係合することによって、漏洩防止板を乾燥槽に容易に取り付けることができ、また、漏洩防止板を持って上方に引き上げることによって、壁部から容易に取り外すことができる。
【発明の効果】
【００１４】
本発明によれば、乾燥槽に、漏洩防止板が設けられ、この漏洩防止板と乾燥槽の壁部との間に、開口部を通過して、壁部に衝突した空気を手指挿入口以外の排気口側へ流す隙間が設けられているので、吹出しノズルから吹き出されて、乾燥槽の壁部に衝突した空気が手指挿入口から周囲に漏洩するのを抑えることができる。
【図面の簡単な説明】
【００１５】
【図１】本発明の実施の形態のハンドドライヤーの一例を示すもので、その斜視図である。
【図２】同、ハンドドライヤーの要部の断面図であり、（ａ）は漏洩防止板を取り付けた状態を示す断面図、（ｂ）は漏洩防止板を取り外した状態を示す断面図である。
【図３】同、漏洩防止板の側面図である。
【図４】同、漏洩防止板の正面図である。
【図５】同、空気の流れを説明するための図である。
【図６】従来のハンドドライヤーを示す要部の断面図である。
【発明を実施するための形態】
【００１６】
以下、図面を参照して本発明の実施の形態について説明する。
図１および図２は実施の形態に係るハンドドライヤーを示すもので、図１はハンドドライヤーの斜視図、図２はハンドドライヤーの要部を示す断面図である。
本実施の形態のハンドドライヤーは、ケース１と、乾燥槽２と、吹出しノズル３と、漏洩防止板４とを備えている。
【００１７】
ケース１は、乾燥槽２が収容されるものであり、矩形箱状に形成されている。ケース１は乾燥槽２を収容するケース本体１ａと、このケース本体１ａの上部開口部に着脱可能に取り付けられた上部カバー１ｂとを備えている。
上部カバー１ｂには、乾燥槽２の上方において開口する手指挿入口１ｃが設けられている。この手指挿入口１ｃは、図１に示すように、横長の長円状の開口となっている。また、上部カバー１ｂの後部（図２において右側部）には、上方に膨出している膨出部１ｄが設けられている。
【００１８】
乾燥槽２は、矩形箱状に形成されており、その上部に開口５を有している。この開口５は、平面視において図２の紙面と直交する方向に長い長方形状に形成されており、その前側（図２において左側）の開口縁５ａは後側（図２において右側）の開口縁５ｂより低くなっている。したがって、開口５は後側の方が高くなるような斜めで、かつ横長のものとなっている。
乾燥槽２は前壁部２ａ、後壁部２ｂ、左右側壁部２ｃおよび底壁部２ｄによって矩形箱状に形成され、その上部に前記開口５が設けられている。この開口５の上方に手指挿入口１ｃが配置されており、乾燥槽２は、開口５と手指挿入口１ｃにより外部と連通している。前壁部２ａ、後壁部２ｂおよび左右側壁部２ｃはケース本体１ａの上端開口より上方に突出している。
底壁部２ｄは後側（図２において右側）に向かうにしたがって、漸次下方に傾斜しており、当該底壁部２ｄの最も後側（図２において右側）の壁面は略水平になっている。そして、この略水平の壁面に排水口６が垂設され、この排水口６には、ケース本体１ａの下部に設けられる図示しない下部ドレンパンに向けて延びる排水管７が接続されている。
【００１９】
また、乾燥槽２の上部でかつ、手指挿入口１ｃより後側（図２において右側）には、吹出しノズル３が設けられ、この吹出しノズル３は、乾燥槽２の左右側壁部２ｃに支持部８を介して支持されている。
吹出しノズル３は、左右側壁部２ｃ間に延在して設けられており、その先端縁に設けられた先端開口から空気を乾燥槽２の内部に向けて吹き出すようになっている。吹出しノズル３の先端部は、乾燥槽２の前壁部２ａの下端部近傍に向けて水平面に対して５０°〜６０°程度傾斜している。また、吹出しノズル３は上部カバー１ｂの膨出部１ｄの内側に配置され、上部カバー１ｂをケース本体１ａに取り付けた状態において、吹出しノズル３および乾燥槽２は当該上部カバー１ｂによって覆われている。また、上部カバー１ｂをケース本体１ａに取り付けた状態において、上部カバー１ｂの手指挿入口１ｃは乾燥槽２の開口５の上方に位置しており、手指挿入口１ｃおよび開口５から乾燥槽２に手指を挿入することができるようになっている。
【００２０】
前記漏洩防止板４は、図３および図４に示すように、横長の矩形板状に形成されており、その略中央部に、吹出しノズル３から吹き出される空気が通過可能な開口部４ｂを有している。
漏洩防止板４は、乾燥槽２の内部に設けられるもので、当該乾燥槽２の左右側壁部２ｃ，２ｃ間とほぼ等しい長さを有する長辺部（横辺部）と、この長辺部と直交する短辺部（縦辺部）とを有する矩形板状の金属製の板である。
漏洩防止板４の短辺部は裏側に向けてほぼ直角に折り曲げられている。また、漏洩防止板４は、その短辺部（縦辺部）に沿う左右の下端部４ｄ，４ｄが長辺部に沿う下端縁４ｅより下方に突出している。したがって、図５に示すように、漏洩防止板４を乾燥槽２内に、当該漏洩防止板４の下端部４ｄを底壁部２ｄに当接した状態で設けた場合、当該底壁部２ｄと漏洩防止板４の下端縁４ｅとの間には、空気が流れる隙間が形成される。
また、漏洩防止板４の短辺部（縦辺部）の長さは、漏洩防止板４の下端部４ｄを底壁部２ｄの所定の位置に当接した状態で、乾燥槽２の前壁部２ａより上方に突出するような長さに設定されている。
【００２１】
また、漏洩防止板４に形成されている前記開口部４ｂは、図４に示すように、横長の矩形状に形成されており、漏洩防止板４を乾燥槽２内に設置した状態において、吹出しノズル３から吹き出される空気の殆どが通過可能な大きさ、位置に形成されている。この開口部４ｂの縦横の寸法は、吹出しノズル３から吹き出されて、漏洩防止板４に達した際の空気の広がり寸法より大きく設定されている。例えば、開口部４ｂの横寸法は２００〜２６０ｍｍ、縦寸法は７０〜１５０ｍｍ程度に設定されているが、この開口部４ｂの縦横の寸法はこれに限るものではない。
【００２２】
漏洩防止板４には、乾燥槽２を形成する前壁部２ａに係脱可能に係合する係合部１０が設けられている。
この係合部１０は、漏洩防止板４の裏面に設けられたブラケット１０ａと、このブラケット１０ａに形成されたスリット１０ｂとを備えている。
ブラケット１０ａは、漏洩防止板４の両縦辺部にそれぞれ設けられた折曲部４ｃの上端部に当該折曲部４ｃと一体的に形成されている。ブラケット１０ａは、折曲部４ｃから図３において左方に突出する板状に形成されており、このブラケット１０ａの下端縁部にスリット１０ｂ形成されている。
このスリット１０ｂは、前壁部２ａの上縁部に上方から係脱可能に係合可能な細い溝状のものであり、ブラケット１０ａの表裏面と下端面にそれぞれ開口している。スリット１０ｂの幅は前記前壁部２ａの厚さとほぼ等しいか若干大きくなっている。したがって、このスリット１０ｂには前壁部２ａがほぼ隙間なく嵌り込むようになっている。
【００２３】
このような係合部１０は、漏洩防止板４の上端部を持って、スリット１０ｂを前壁部２ａの上縁部に上方から差し込むように係合することによって、当該前壁部２ａに係脱可能に係合される。
この状態において、漏洩防止板４は、前壁部２ａに対して１５°〜３０°の間で傾斜している。
そして、このような角度で設置された漏洩防止板４では、図５に示すように、吹出しノズル３からの空気（吹出気流）は、開口部４ｂを通って前壁部２ａに衝突して跳ね返るが、この跳ね返った空気は、漏洩防止板４によって手指挿入口１ｃ側に飛散するのを防止される。
【００２４】
また、漏洩防止板４の上端部は乾燥槽２の開口５より上方で、かつ、前壁部２ａより前側（図２および図５において左側）に突出しており、この突出した部分の上端部は上部カバー１ｂによって覆われている。また、漏洩防止板４と、前壁部２ａの上端部との間には、吹出しノズル３から吹き出されて、漏洩防止板４の開口部４ｂを通って前壁部２ａに衝突して跳ね返った空気を排気口側へ流す隙間Ｓが設けられている。したがって、前壁部２ａに衝突して跳ね返った空気（図５に矢印で示す）の一部はこの隙間Ｓを通って乾燥槽２の前壁部２ａとケース１の前壁部との間の排気通路１２をケース本体１ａの下端部に設けられた排気口に向けて流れ、この排気口から低速気流となって床面に排気される。また、前壁部２ａで跳ね返った空気の一部は、漏洩防止板４の下端縁４ｅと底壁部２ｄとの間の隙間を通って底壁部２ｄに沿って低速気流となって斜め下方に流れるが、この気流は低速であるため、上方の手指挿入口１ｃに達することは殆どない。
【００２５】
さらに、吹出しノズル３から吹き出された空気によって手指から吹き飛ばされた水滴の殆どは、乾燥槽２の壁部（前壁部２ａ、後壁部２ｂ、左右側壁部２ｃおよび底壁部２ｄ）に衝突して付着したうえで、底壁部２ｄに沿って排水口６に流れ込み、排水管７から下部ドレンパンに達するので、前記排気口からは殆ど水滴を含まない空気を排出することができる。
【００２６】
また、ケース本体１ａから上部カバー１ｂを取り外したうえで、漏洩防止板４を持って、ブラケット１０ａに形成されたスリット１０ｂを、乾燥槽２を形成する前壁部２ａに上方から係合することによって、漏洩防止板４を乾燥槽２に容易に取り付けることができる。
また、図２（ｂ）に示すように、漏洩防止板４を持って上方に引き上げて、前壁部２ａからスリット１０ｂを引き抜くことによって、漏洩防止板４を前壁部２ａから容易に取り外すことができる。
したがって、漏洩防止板４が取り外された乾燥槽２内はほぼ矩形の箱状体となり、内部に凹凸等がないので、乾燥槽２内を隅々まで容易に清掃できる。
また、清掃後も、上述のように、漏洩防止板４を前壁部２ａに取り付け、上部カバー１ｂをケース本体１ａに取り付けることによって、ハンドドライヤーを元の状態に容易に組み立てることができる。
【００２７】
このように本実施の形態のハンドドライヤーによれば、乾燥槽２に、漏洩防止板４が設けられ、この漏洩防止板４と乾燥槽２の前壁部２ａとの間に、開口部４ｂを通過して、前壁部２ａに衝突した空気を手指挿入口１ｃ以外の排気口側へ流す隙間Ｓが設けられているので、吹出しノズル３から吹き出されて、乾燥槽２を形成する壁部（前壁部）２ａに衝突した空気が手指挿入口１ｃから周囲に漏洩するのを抑えることができる。
また、漏洩防止板４を乾燥槽２から容易に取り外すことがきるので、乾燥槽内の清掃を容易に行うことができる。
【００２８】
なお、本実施の形態では、漏洩防止板４の開口部４ｂを横長の矩形状に形成したが、当該開口部４ｂの形状はこれに限ることはない。要は、吹出しノズル３から吹き出された空気が通過可能な大きさに形成すればよい。
【符号の説明】
【００２９】
１  ケース
１ｃ  手指挿入口
２  乾燥槽
２ａ  前壁部（壁部）
３  吹出しノズル
４  漏洩防止板
４ｂ  開口部
Ｓ  隙間
【図１】
2015223456.tif 000003
【図２】
2015223456.tif 000004
【図３】
2015223456.tif 000005
【図４】
2015223456.tif 000006
【図５】
2015223456.tif 000007
【図６】
2015223456.tif 000008